(57)【要約】【課題】メインキーを所持しているのみでメインキーの所持者の意図を反映させてサブキー所有者の車両制御に関するリクエストの機能制限ができる遠隔制御システムを提供する。【解決手段】最初に、車載器１１０とサブキー１０１との間で認証処理のために近距離通信（１０４）が行われる。次に、車載器１１０から車の所持者１０２が所持するメインキー１０３にドア開錠のリクエスト許可判定のための判定要求信号が遠距離通信によりメインキー１０３側に送信されて（１０５）、メインキー１０３でリクエスト内容の許可／不許可の判定を行い、その判定結果を車載器１１０側に遠距離通信で返信（１０６）する。そして、車載器１１０側では判定内容に従って、サブキー所有者のリクエストの許可／拒否が実行（１０７）される。【選択図】図１
2010242446.tif 000002
【特許請求の範囲】
【請求項１】
車載器と、当該車載器との遠距離通信可能なメインキーと、当該車載器と近距離通信可能なサブキーとにより構成され、車の各種機能を遠隔制御する遠隔制御システムであって、
前記車載器は、
前記サブキー及び前記メインキーから送信される信号を受信する受信手段と、
前記サブキーの所有者の車両制御に関するリクエストの可否を判定するため、前記メインキーに所定信号を送信する送信手段と、
前記所定信号の返信信号として前記受信手段が前記メインキーから受信する返信信号に基づいて、前記サブキーの所有者の車両制御に関するリクエストの可否を判定する判定手段と、
前記判定手段においてリクエストが許可と検出される場合に、当該リクエストを実現するため各処理部を制御する電子制御手段とを備える
ことを特徴とする遠隔制御システム。
【請求項２】
前記送信手段は、前記所定信号として、前記メインキー側に対して前記サブキーの所有者の車両制御に関するリクエストの許可又は拒否の判定を要求する判定要求信号を送信し、
前記メインキーは、
前記車載器の前記送信手段から送信される信号を受信する電波受信手段と、
前記電波受信手段で前記判定要求信号を受信した場合、前記サブキーの所有者の車両制御に関するリクエストの許可又は拒否を判定するリクエスト判定手段と、
少なくとも前記リクエスト判定手段の判定結果を前記車載器に送信する電波送信手段とを備え、
前記車載器の前記受信手段は、前記メインキーの前記リクエスト判定手段における前記判定結果を受信し、
前記判定手段は、当該判定結果に基づいて、前記サブキーの所有者の車両制御に関するリクエストの可否を判定し、
前記電子制御手段は、前記判定手段において前記サブキーの所有者の車両制御に関するリクエストが許可と検出される場合に、当該リクエストを実現するため各処理部を制御する
ことを特徴とする請求項１記載の遠隔制御システム。
【請求項３】
前記メインキーの前記電波送信手段は、前記リクエスト判定手段においてに前記サブキーの所有者の車両制御に関するリクエストを許可と判定する場合のみ、前記車載器に前記判定結果を送信する
ことを特徴とする請求項２記載の遠隔制御システム。
【請求項４】
前記メインキーは、さらに、強制的に前記サブキーの所有者の車両制御に関するリクエストの許可又は拒否を設定するボタン部を備え、
前記リクエスト判定手段は、前記ボタン部がオン状態の時には前記サブキーの所有者の車両制御に関するリクエストを許可すると判定し、前記ボタン部がオフ状態の時には前記サブキーの所有者の車両制御に関する全てのリクエストを不許可にすると判定する
ことを特徴とする請求項２記載の遠隔制御システム。
【請求項５】
前記車載器の前記送信手段は、前記所定信号として、所定周波数の電波を前記メインキーに送信し、
前記車載器は、さらに、
前記送信手段から送信される前記所定周波数の電波が、前記メインキーから返信される期間に基づき、前記メインキーと前記車載器との距離を検出する距離測定手段を備え、
前記メインキーは、さらに、
前記所定周波数の電波を受信した場合に、周波数変換して前記車載器に返信するトランスポンダ手段を備え、
前記車載器の前記判定手段は、前記距離測定手段において算出される前記メインキーまでの距離の検出結果に基づいて、前記サブキーの所有者の車両制御に関するリクエストの可否を判定し、
前記電子制御手段は、前記判定手段においてリクエストが許可と判定される場合に、当該リクエストを実現するため各処理部を制御する
ことを特徴とする請求項１記載の遠隔制御システム。
【請求項６】
前記車載器の前記判定手段は、前記距離測定手段において前記メインキーとの距離が近づいていると判定される場合に、前記サブキーの所有者の車両制御に関するリクエストを許可と判定する
ことを特徴とする請求項５記載の遠隔制御システム。
【請求項７】
前記車載器の前記送信手段は、前記所定信号として、前記メインキーの動き状態を検出するためのジャイロ値返信信号を前記メインキーに送信し、
前記車載器は、さらに、
前記送信手段から送信された前記ジャイロ値返信信号に対する前記メインキーからの返信信号に基づいて、前記メインキーの動き状態を検出するジャイロ値検出手段を備え、
前記メインキーは、さらに、
前記ジャイロ値返信信号を受信した場合に前記メインキーのジャイロ値を検出するジャイロセンサ部を備え、
前記車載器の前記判定手段は、前記ジャイロセンサ部の検出値を受信して前記ジャイロ値検出手段において検出される検出値により前記メインキーが動いていると判定される場合に、前記サブキーの所有者の車両制御に関するリクエストを許可と判定し、
前記電子制御手段は、前記判定手段においてリクエストが許可と判定される場合に、当該リクエストを実現するため各処理部を制御する
ことを特徴とする請求項１記載の遠隔制御システム。
【請求項８】
車体の遠隔制御を行うため、少なくとも遠距離通信可能なメインキー及び近距離通信が可能なサブキーを含む複数の電子キーと通信可能な車載器であって、
前記サブキー及び前記メインキーから送信される信号を受信する受信手段と、
前記サブキーの所有者の車両制御に関するリクエストの可否を判定するため、前記メインキーに所定信号を送信する送信手段と、
前記所定信号の返信信号として前記受信手段が前記メインキーから受信する返信信号に基づいて、前記サブキーの所有者の車両制御に関するリクエストの可否を判定する判定手段と、
前記判定手段においてリクエストが許可と検出される場合に、当該リクエストを実現するため各処理部を制御する電子制御手段とを備える
ことを特徴とする車載器。
【請求項９】
前記送信手段は、前記所定信号として、前記メインキー側に対して前記サブキーの所有者の車両制御に関するリクエストの許可又は拒否の判定を要求する判定要求信号を送信し、
前記受信手段は、前記メインキーの前記リクエスト判定手段における前記判定結果を受信し、
前記判定手段は、当該判定結果に基づいて、前記サブキーの所有者の車両制御に関するリクエストの可否を判定し、
前記電子制御手段は、前記判定手段において前記サブキーの所有者の車両制御に関するリクエストが許可と検出される場合に、当該リクエストを実現するため各処理部を制御する
ことを特徴とする請求項８記載の車載器。
【請求項１０】
前記送信手段は、前記所定信号として、所定周波数の電波を前記メインキーに送信し、
前記車載器は、さらに、
前記送信手段から送信される前記所定周波数の電波が、前記メインキーから返信される期間に基づき、前記メインキーと前記車載器との距離を検出する距離測定手段を備え、
前記判定手段は、前記距離測定手段において算出される前記メインキーまでの距離の検出結果に基づいて、前記サブキーの所有者の車両制御に関するリクエストの可否を判定し、
前記電子制御手段は、前記判定手段においてリクエストが許可と判定される場合に、当該リクエストを実現するため各処理部を制御する
ことを特徴とする請求項８記載の車載器。
【請求項１１】
前記判定手段は、前記距離測定手段において前記メインキーとの距離が近づいていると判定される場合に、前記サブキーの所有者の車両制御に関するリクエストを許可と判定する
ことを特徴とする請求項１０記載の車載器。
【請求項１２】
前記送信手段は、前記所定信号として、前記メインキーの動き状態を検出するためのジャイロ値返信信号を前記メインキーに送信し、
前記車載器は、さらに、
前記送信手段から送信された前記ジャイロ値返信信号に対する前記メインキーからの返信信号に基づいて、前記メインキーの動き状態を検出するジャイロ値検出手段を備え、
前記判定手段は、前記ジャイロセンサ部の検出値を受信して前記ジャイロ値検出手段において検出される検出値により前記メインキーが動いていると判定される場合に、前記サブキーの所有者の車両制御に関するリクエストを許可と判定し、
前記電子制御手段は、前記判定手段においてリクエストが許可と判定される場合に、当該リクエストを実現するため各処理部を制御する
ことを特徴とする請求項８記載の車載器。
【請求項１３】
複数の電子キーを用いて車載器の機能の遠隔制御を行う遠隔制御システムに用いるメインキーであって、
前記車載器の前記送信手段から送信される信号を受信する電波受信手段と、
前記電波受信手段で前記メインキーからサブキーの所有者の車両制御に関するリクエストの許可又は拒否の判定を要求する判定要求信号を受信した場合、前記サブキーの所有者の車両制御に関するリクエストの許可又は拒否を判定するリクエスト判定手段と、
少なくとも前記リクエスト判定手段の判定結果を前記車載器に送信する電波送信手段とを備える
ことを特徴とするメインキー。
【請求項１４】
前記メインキーは、さらに、
前記車載器から所定周波数の電波を受信した場合に、周波数変換して前記車載器に返信するトランスポンダ手段を備える
ことを特徴とする請求項１３記載のメインキー。
【請求項１５】
前記メインキーは、さらに、
前記メインキーのジャイロ値を検出するジャイロセンサ部を備える
ことを特徴とする請求項１３記載のメインキー。
【発明の詳細な説明】
【技術分野】
【０００１】
本発明は、電子キーを用いて車体の機能を遠隔制御する遠隔制御システムに関し、特にメインキー及びサブキーからなる複数の電子キーを用いて車体の機能を制御する遠隔制御システムに関する。
【背景技術】
【０００２】
従来より、車のドアの施錠／開錠やエンジン始動に関して電子キーを用いた遠隔制御システムが使用されている。この遠隔制御システムでは、例えばアンテナを介して運転者の持つ携帯機である電子キーと自動車に搭載されているＥＣＵ（Electronic Control Unit）との間で通信を行い、通信が成立すればドアの施錠／開錠を行う。
【０００３】
また、専用のキー以外ではエンジンの始動ができない電子的なキーの照合システムであるイモビライザ機能も用いられている。このイモビライザ機能では、専用キーに埋め込まれたトランスポンダと呼ばれる電子チップが持つ固有のＩＤコードと車両のＩＤコードを電子的に照合して照合が成立した後にエンジンの始動を許可するものである。
【０００４】
ところで、近年においては、１台の車両に対して複数の電子キーを作成して、車の所持者がメインキーを保持して、子供等にサブキーを持たせることも可能である。
しかし、この場合には、電子キーを持たない人は、ドアの施錠／開錠など車両に対して全く操作できなくなり、また例えば子供にサブキーを渡すとドアの施錠／開錠やエンジン始動等の全ての機能を子供が作動することが可能となる。この問題を解決するためにサブキーの機能を制限した車載機器の遠隔制御システムが開示されている（例えば、特許文献１参照）。
【０００５】
この遠隔制御システムにおいては、車両側から送信されるリクエスト信号に応答して第一レスポンス信号を返信するメインキーと、そのリクエスト信号に応答して第二レスポンス信号を返信するサブキーとを用いる。そして、レスポンス信号を受信機が受信した場合には、照合ＥＣＵのＣＰＵが照合処理を行い、照合ができたレスポンス信号が第一レスポンス信号であっても第二レスポンス信号であってもドアは開錠できるようにする。一方、照合ができたレスポンス信号が第二レスポンス信号である場合にはエンジンの始動を許可しない。従って、この遠隔制御システムにおいては、子供など、車両を運転することができない者がいたずらでエンジン始動したり、誤って車両を走行させてしまう危険を防止することができる。
【０００６】
また、ユーザにとって負担とならない記憶を個人認証情報として用いて確実にユーザを認証する個人認証システムが開示されている（例えば、特許文献２参照）。この個人認証システムでは、セキュリティサーバから個人認証質問への回答が正しい場合にのみ車両へのエンジンの給電を許可する使用許可制御を送信することにより車両の不正なエンジン始動を防止するものである。
【先行技術文献】
【特許文献】
【０００７】
【特許文献１】特開２００８−８１１１号公報
【特許文献２】特開２００４−３０６８２１号公報
【発明の概要】
【発明が解決しようとする課題】
【０００８】
しかしながら、上記従来の遠隔制御システムのようにサブキーにエンジン始動不可という機能制限をしていても、サブキーに対しては一定の機能は許可されており、子供等がエンジンを始動してしまう等のいたずら防止には効果があるが、サブキーが盗難された場合には希望しない者に車が利用されてしまう可能性がある。すなわち、従来の遠隔制御システムにおいては、メインキーを持っているだけでは車の所持者のサブキーへの意図が車内に正確に伝えられないという問題がある。
【０００９】
また、サブキーに車体への機能制限を付与しても、サブキーの所持者の使用毎にメインキーの所持者の許可判断をするという手間を要することなく、メインキーの所持者がメインキーを持っているだけでサブキーへの使用制限の意図を反映させることが好ましい。
【００１０】
さらに、将来的に電子キーがドアの施錠／開錠やエンジン始動のみでなく、オーディオ機能制限、カーナビゲーション機能制限やグローブボックス開閉機能制限等の各種の車体への機能制限ができるようになると、現在のメインキーにおいてはこれらの複数の機能制限をサブキーに反映できないという問題もある。
【００１１】
本発明は以上の課題に鑑みてなされてものであり、メインキーを所持しているのみでメインキーの所持者の意図を反映させてサブキーの所持者の車体への遠隔制御の機能制限ができる遠隔制御システムを提供することを目的とする。
また、メインキーの所持者の入力判断によりサブキーの所持者に対して様々な機能制限を可能とする遠隔制御システムを提供することを目的とする。
【課題を解決するための手段】
【００１２】
以上の課題を解決するため、本発明に係る遠隔制御システムは、車載器と、当該車載器との遠距離通信可能なメインキーと、当該車載器と近距離通信可能なサブキーとにより構成され、車の各種機能を遠隔制御する遠隔制御システムであって、上記車載器は、上記サブキー及び上記メインキーから送信される信号を受信する受信手段と、上記サブキーの所有者の車両制御に関するリクエストの可否を判定するため、上記メインキーに所定信号を送信する送信手段と、上記所定信号の返信信号として上記受信手段が上記メインキーから受信する返信信号に基づいて、上記サブキーの所有者の車両制御に関するリクエストの可否を判定する判定手段と、上記判定手段においてリクエストが許可と検出される場合に、当該リクエストを実現するため各処理部を制御する電子制御手段とを備えることを特徴とする。
【００１３】
この構成により、車載器は送信手段から送信される所定信号に対する返信となるメインキー側の判定結果である返信信号を受信手段で受信して、判定手段では、メインキー側からの返信信号に基づいてサブキーの所有者の車両制御に関するリクエストを許可若しくは拒否できる。このため、本発明では、メインキーの所持者の意図をサブキー所有者の車両制御に対して反映させることが可能となる。
【００１４】
また、本発明に係る遠隔制御システムの上記送信手段は、上記所定信号として、上記メインキー側に対して上記サブキーの所有者の車両制御に関するリクエストの許可又は拒否の判定を要求する判定要求信号を送信し、上記メインキーは、上記車載器の上記送信手段から送信される信号を受信する電波受信手段と、上記電波受信手段で上記判定要求信号を受信した場合、上記サブキーの所有者の車両制御に関するリクエストの許可又は拒否を判定するリクエスト判定手段と、少なくとも上記リクエスト判定手段の判定結果を上記車載器に送信する電波送信手段とを備え、上記車載器の上記受信手段は、上記メインキーの上記リクエスト判定手段における上記判定結果を受信し、上記判定手段は、当該判定結果に基づいて、上記サブキーの所有者の車両制御に関するリクエストの可否を判定し、上記電子制御手段は、上記判定手段において上記サブキーの所有者の車両制御に関するリクエストが許可と検出される場合に、当該リクエストを実現するため各処理部を制御することを特徴とする。
【００１５】
この構成により、メインキーの電波受信手段で車載器から判定要求信号を受信して、メインキーのリクエスト判定手段においてサブキーのリクエストの許可又は拒否を判定する。そして、車載器の判定手段は、メインキーから返信された判定結果に基づいてサブキー所有者の車両制御に関するリクエストの可否を判定できる。このため、本発明では、メインキーの所持者の意図をサブキー所有者の車両制御に対して反映させることができる。
【００１６】
また、本発明に係る遠隔制御システムの上記メインキーの上記電波送信手段は、上記リクエスト判定手段において上記サブキーの所有者の車両制御に関するリクエストを許可と判定する場合のみ、上記車載器に上記判定結果を送信することを特徴とする。
【００１７】
この構成により、メインキーの電波送信手段は、許可判定となる場合にのみ車載器に判定結果である判定信号を送信するために、拒否の時には送信処理が不要となり、省電力化を図ることが可能となる。
【００１８】
また、本発明に係る遠隔制御システムの上記メインキーは、さらに、強制的に上記サブキーの所有者の車両制御に関するリクエストの許可又は拒否を設定するボタン部を備え、上記リクエスト判定手段は、上記ボタン部がオン状態の時には上記サブキーの所有者の車両制御に関するリクエストを許可すると判定し、上記ボタン部がオフ状態の時には上記サブキーの所有者の車両制御に関する全てのリクエストを不許可にすると判定することを特徴とする。
【００１９】
この構成により、メインキーの所持者は、ボタン部の設定により、サブキー所有者の車両制御に関するリクエストを許可又は拒否できるために、本発明では、メインキーの所持者の意図をサブキー所有者の車両制御に対して反映させることができる。
【００２０】
また、本発明に係る遠隔制御システムの上記車載器の上記送信手段は、上記所定信号として、所定周波数の電波を上記メインキーに送信し、上記車載器は、さらに、上記送信手段から送信される上記所定周波数の電波が、上記メインキーから返信される期間に基づき、上記メインキーと上記車載器との距離を検出する距離測定手段を備え、上記メインキーは、さらに、上記所定周波数の電波を受信した場合に、周波数変換して上記車載器に返信するトランスポンダ手段を備え、上記車載器の上記判定手段は、上記距離測定手段において算出される上記メインキーまでの距離の検出結果に基づいて、上記サブキーの所有者の車両制御に関するリクエストの可否を判定し、上記電子制御手段は、上記判定手段においてリクエストが許可と判定される場合に、当該リクエストを実現するため各処理部を制御することを特徴とする。
【００２１】
また、本発明に係る遠隔制御システムの車載器の判定手段は、距離測定手段において上記メインキーとの距離が近づいていると判定される場合に、サブキーの所有者の車両制御に関するリクエストを許可と判定することを特徴とする。
【００２２】
この構成により、メインキーに備わるトランスポンダ手段を用いて車載器の距離測定部はメインキーまでの距離を適時測定することが可能となる。そして、車載器の電子制御手段は、距離測定部において測定したメインキーまでの距離に基づいて、メインキーの所持者が動いている場合や車に近づいている場合にサブキー所有者の車両制御に関するリクエストを実行する。このため、本発明では、メインキーとの距離が変化していない状態ではサブキーからのリクエストが実現されることはないため、メインキーの所持者の意図をサブキー所有者の車両制御に対して反映させることができる。
【００２３】
また、本発明に係る遠隔制御システムの上記車載器の上記送信手段は、上記所定信号として、上記メインキーの動き状態を検出するためのジャイロ値返信信号を上記メインキーに送信し、上記車載器は、さらに、上記送信手段から送信された上記ジャイロ値返信信号に対する上記メインキーからの返信信号に基づいて、上記メインキーの動き状態を検出するジャイロ値検出手段を備え、上記メインキーは、さらに、上記ジャイロ値返信信号を受信した場合に上記メインキーのジャイロ値を検出するジャイロセンサ部を備え、上記車載器の上記判定手段は、上記ジャイロセンサ部の検出値を受信して上記ジャイロ値検出手段において検出される検出値により上記メインキーが動いていると判定される場合に、上記サブキーの所有者の車両制御に関するリクエストを許可と判定し、上記電子制御手段は、上記判定手段においてリクエストが許可と判定される場合に、当該リクエストを実現するため各処理部を制御することを特徴とする。
【００２４】
この構成により、車載器のジャイロ値検出手段は、サブキーの所有者から車両制御に関するリクエストを受信した場合に、メインキーの動き状態を検出できる。そして、ジャイロ値検出手段は、サブキーからのリクエストを受信した場合にメインキーの動きを検出し、メインキーの所有者が動いている場合にサブキーのリクエストを実行することが可能となる。従って、本発明では、メインキーが動いていない状態ではサブキーのリクエストが実現されることはなく、メインキーの所持者の意図をサブキー所有者の車両制御に対して反映させることができる。
【００２５】
また、本発明に係る車載器は、車体の遠隔制御を行うため、少なくとも遠距離通信可能なメインキー及び近距離通信が可能なサブキーを含む複数の電子キーと通信可能な車載器であって、上記サブキー及び上記メインキーから送信される信号を受信する受信手段と、上記サブキーの所有者の車両制御に関するリクエストの可否を判定するため、上記メインキーに所定信号を送信する送信手段と、上記所定信号の返信信号として上記受信手段が上記メインキーから受信する返信信号に基づいて、上記サブキーの所有者の車両制御に関するリクエストの可否を判定する判定手段と、上記判定手段においてリクエストが許可と検出される場合に、当該リクエストを実現するため各処理部を制御する電子制御手段とを備えることを特徴とする。
【００２６】
この構成により、車載器の判定手段は、メインキーから判定要求信号に対して返信された判定結果に基づいてサブキー所有者の車両制御に関するリクエストの可否を判定できる。このため、本発明では、メインキーの所持者の意図をサブキー所有者の車両制御に対して反映させることができる。
【００２７】
また、本発明に係るメインキーは、複数の電子キーを用いて車載器の機能の遠隔制御を行う遠隔制御システムに用いるメインキーであって、上記車載器の上記送信手段から送信される信号を受信する電波受信手段と、上記電波受信手段で上記メインキーからサブキーの所有者の車両制御に関するリクエストの許可又は拒否の判定を要求する判定要求信号を受信した場合、上記サブキーの所有者の車両制御に関するリクエストの許可又は拒否を判定するリクエスト判定手段と、少なくとも上記リクエスト判定手段の判定結果を上記車載器に送信する電波送信手段とを備えることを特徴とする。
【００２８】
この構成により、メインキーのリクエスト判定手段において車載器側から受信した判定要求信号に対してサブキーの所有者の車両制御に関するリクエストの可否を判定して車載器側に返信できる。このため、本発明では、メインキーの所持者の意図をサブキー所有者の車両制御に対して反映させることができる。
【００２９】
なお、本発明に係る遠隔制御システムを構成する処理手段をステップとする遠隔制御方法として実現したり、それらステップをコンピュータに実行させるプログラムとして実現したり、当該プログラムをＤＶＤ、ＣＤ−ＲＯＭ等の記録媒体や通信ネットワーク等の伝送媒体を介して流通させることができるのは言うまでもない。
【発明の効果】
【００３０】
本発明に係る遠隔制御システムにおいては、サブキーの所有者からの車両制御に関するリクエストを受けた場合には、メインキーにリクエストの許可又は拒否判定を要求する判定要求信号を送信して、その返信結果に基づいて車載器側でサブキー所有者のリクエストの実行もしくは拒否する。このため、本発明に係る遠隔制御システムにおいては、メインキーの所持者の意図をサブキー所有者の車両制御に対して反映させることができる。
【００３１】
また、車載器側でメインキーまでの距離やメインキーの動き状態の判定を行い、その判定結果に従ってサブキー所有者のリクエストに対して機能制限をするために、メインユーザがメインキーを所持しているだけでサブキーの機能制限が可能となる。
さらに、メインキーに複数のボタンを設けることにより、サブキーの各種のリクエストに対して車の所持者がボタンを用いて直接許可又は拒否の入力ができ、この場合には、メインキーの所有者の入力操作によりメインキーの所持者の意図をサブキー所有者の車両制御に対して反映させることができる。
【図面の簡単な説明】
【００３２】
【図１】実施の形態１に係る遠隔制御システムの全体の説明図
【図２】実施の形態１に係る車載器の機能ブロック図
【図３】実施の形態１に係るメインキーの機能ブロック図
【図４】実施の形態１に係る遠隔制御システムの動作手順を示すフローチャート
【図５】実施の形態１の変形例に係る遠隔制御システムの動作手順を示すフローチャート
【図６】実施の形態２に係る車載器の機能ブロック図
【図７】実施の形態２に係るメインキーの機能ブロック図
【図８】実施の形態２に係る遠隔制御システムの動作手順を示すフローチャート
【図９】実施の形態３に係る遠隔制御システムに用いるメインキーの一例を示す外観図
【発明を実施するための形態】
【００３３】
以下、本発明に係る遠隔制御システムの実施の形態について図面を参照しながら説明する。
【００３４】
（実施の形態１）
図１は、本実施の形態１に係る遠隔制御システム１０の全体の概要を説明する図である。この遠隔制御システム１０は、車体に搭載された電子キーの遠隔制御を行うための車載器１１０と、車体に対する遠隔制御の全機能を利用可能なメインキー１０３と、車体に対する一部の機能のみ利用可能なサブキー１０１とにより構成される。なお、サブキー１０１は特に子供１００に所持させることを想定し説明を行う。
【００３５】
最初に、車載器１１０側から定期的なサーチ信号を送信して、周辺に子供１００が所有したサブキー１０１が存在する場合に、サブキー１０１との間で近距離通信（１０４）が行われ、サブキー１０１の認証処理が開始される。
なお、電子キーの認証処理としては、サブキー１０１を所持した子供１００が、車に接近してドアノブ等を触れることで車載器１１０からサーチ信号がサブキー１０１に送信されてサブキー１０１の認証処理を開始する場合や、電子キー等のサブキー保持者がサブキー１０１のキー操作（開錠等）ボタンを押してリクエスト信号を車載器１１０側に送信することで認証を開始する場合もある。
【００３６】
次に、サブキー１０１の認証が成立した場合、車載器１１０から車の所持者１０２が所持するメインキー１０３へドア開錠のリクエスト許可の判定を要求する判定要求信号を送信するために遠距離通信（１０５）が行われる。次に、メインキー１０３は判定要求信号を受信するとリクエスト内容の許可／不許可の判定を行い、その判定結果を車載器１１０側に遠距離通信で返信（１０６）する。そして、車載器１１０は上記判定内容に従って、サブキー１０１からのリクエストを実行（１０７）する。
【００３７】
このように、本実施の形態１に係る遠隔制御システムにおいては、車載器１１０はサブキー１０１の所有者から車両制御に関するリクエストを受けた場合、メインキー１０３に対して当該リクエストの可否判定を要求するための判定要求信号を送信してサブキー１０１の所有者のリクエスト実施の許可若しくは拒否を確認する。そして、車載器１１０側はメインキー１０３からの許可信号を受信した場合にサブキー１０１の所有者からの車両制御に関するリクエストを実施するものである。
なお、例えばメインキー１０３は、数１０ｍから１００ｍの範囲までに通信可能な遠距離送受信機能を備え、サブキー１０１は数ｍの近距離送受信機能を備える。
【００３８】
図２は、本実施の形態１に係る車載器１１０の機能ブロック図である。
車載器１１０は、車内用発信器２０１、車外用発信器２０２、送受信部２０３、電子キーコンピュータ２０４、メインボデーＥＣＵ２０５、ドアロックコンピュータ２０６、及びエンジンコントロールコンピュータ２０７を備えている。なお、これらの各処理部は、通信線を介してＣＡＮ（Controller Area Network）等のプロトコルを用いてデータの送受信を行っている。
【００３９】
この車載器１１０においては、電子キーコンピュータ２０４は実行する機能に応じて各キーとの識別番号（ＩＤコード）の照合やキーの位置確認を行うために、信号を車内用発信器２０１及び車外用発信器２０２から出力する。そして、電子キーコンピュータ２０４は、この信号を受信した電子キーから識別番号を受信すると識別番号の認証を行うと共に、後述するように判定要求信号をメインキーに送信してメインキーとの間でサブキーのリクエストの許可又は拒否判別を受信して、このメインキーからの判定に基づいて実行するリクエスト機能に応じて各ＥＣＵに作動指令信号を出力するものである。
【００４０】
以下、各処理部の機能に関して説明を行う。
【００４１】
車内用発信器２０１及び車外用発信器２０２は、電子キーコンピュータ２０４が実行する機能に応じて電子キーの識別番号の照合や電子キーの位置確認を行うための信号をアンテナに出力する。
【００４２】
また、車外用発信器２０２は、電子キーの検知エリア（例えばドアアウトサイドハンドル・リヤバンパ中央部から約０．７〜１．０ｍの範囲）を形成する。この検知エリアは、駐車状態（電源オフやドアロック状態）時に車外用発信器２０２から約０．２５秒毎に定期的に発信される信号で形成され、メインキー１０３やサブキー１０１といった電子キーの接近を感知する。
【００４３】
送受信部２０３は、サブキー１０１及びメインキー１０３から送信される信号を受信すると共に、サブキー１０１及びメインキー１０３へ所定周波数の信号を送信する。
メインボデーＥＣＵ２０５は、電子キーコンピュータ２０４とＣＡＮを用いて接続され、電子キーコンピュータ２０４側から送信されるドア開錠等の作動要求信号を受信して、ドアロックコンピュータ２０６にドアのアンロック信号やロック信号を出力する。
【００４４】
ドアロックコンピュータ２０６は、メインボデーＥＣＵ２０５からの信号の入力を受けて、ドアのドアロックモータを駆動してドアの開錠や施錠をするように制御する。
エンジンコントロールコンピュータ２０７は、電子キーコンピュータ２０４からの入力を受けてエンジンを始動する制御を行う。
【００４５】
そして、本実施の形態１に係る電子キーコンピュータ２０４は、暗号化処理部２０４ａ、リクエスト検出部２０４ｂ、及び判定部２０４ｃを備えている。
暗号化処理部２０４ａは、送信信号を暗号化すると共に、暗号化された受信信号を復号化する処理を行う。なお、送受信信号の暗号化は、例えば鍵の識別番号と乱数を用いてチャレンジ／レスポンス方式にて行う。
【００４６】
具体的には、まず認証を受けたいサブキー１０１は、車外用発信機２０２から定期発信されるリクエスト信号を受信すると、認証要求を車載器１１０側に送り、車載器１１０側の暗号化処理部２０４ａではそれに対しチャレンジと呼ばれる乱数を返信する。サブキー１０１側では、サブキー１０１の識別番号と当該乱数を特定のアルゴリズムに従って合成し、レスポンスと呼ばれる数値列を作成し、車載器１１０に送信する。車載器１１０側では、送信した乱数と予め登録されたサブキー１０１の識別番号から同じようにレスポンスを作成し、送られてきたレスポンスと比較する。レスポンスが一致すれば、電子キーの識別番号は正しいことになり、認証成功となる。
【００４７】
リクエスト検出部２０４ｂは、例えばサブキー１０１の所有者がドアノブに触れた場合には、ドア開錠というリクエストを検出して、メインキー１０３の所有者側にドア開錠のリクエスト可否の判定を要求するため判定要求信号を生成する。
判定部２０４ｃは、送受信部２０３から送信された判定要求信号に対するメインキー１０３側の判定結果に基づいて、サブキー１０１の所有者の車両制御に関するリクエスト（ドア開錠等）の許可／拒否の判定を行う。
【００４８】
なお、サブキーの所有者が電子キー等を用いてキー操作によってドア開錠等のリクエスト要求をする場合には、リクエスト検出部２０４ｂは、例えば識別コードを用いてサブキー１０１からのリクエスト（ドアアンロック等）を判定し、サブキー１０１のリクエスト内容の可否を判定するための判定要求信号を生成する。
【００４９】
図３は、本実施の形態１に係るメインキー１０３の機能ブロック図である。
【００５０】
メインキー１０３は、電波受信部３０１、暗号解読部３０２、サブキーリクエスト判定部３０３、及び電波送信部３０４を備えている。
電波受信部３０１は、車載器１１０側から送信される信号を受信する。暗号解読部３０２は、車載器１１０からの暗号化された判定要求信号等を復号化して解読すると共に、送信する判定結果の信号の暗号化を行う。
【００５１】
サブキーリクエスト判定部３０３は、電波受信部３０１が車載器１１０から判定要求信号を受信すると、サブキー１０１の所持者の車両制御に関するリクエスト（開錠／施錠）に対しての許可／拒否の判定をする。この判定は、予めサブキー１０１の識別番号毎に機能制限を設定して自動的に判定を行う場合や、メインキー１０３に後述するようなボタン部を設けて所持者の直接の入力判断に基づく。
電波送信部３０４は、車載器１１０側にサブキーのリクエストの許可／拒否の判定結果を含む電波を送信する。
【００５２】
なお、サブキー１０１の機能構成は図示していないが、車載器１１０側から送信される信号に対して返信を行うトランスポンダ部や、暗号化処理部、ＣＰＵや電源等を備えている。
【００５３】
図４は、本実施の形態１に係る遠隔制御システムの動作手順を示すフローチャートである。
【００５４】
最初に、車載器１１０側から定期的なサーチ信号を送信して、周辺に子供１００が所有したサブキー１０１が存在する場合に、サブキー１０１と車載器１１０の間で近距離通信が行われ、これを車載器１１０の送受信部２０３が受信すると電子キーコンピュータ２０４に出力されサブキー１０１の認証処理が開始される（ステップＳ４０１）。
【００５５】
次に、車載器１１０側の電子キーコンピュータ２０４は、識別番号の照合の判別を行い、サブキー１０１が正規の鍵であると判定すると、リクエスト検出部２０４ｂにおいて、子供１００が車両のドアノブに触ったことを検知した場合にはドア開錠のリクエスト等、サブキー１０１の所有者の車両制御に関するリクエストを検出する。そして、サブキー１０１からのリクエストの許可判定のための暗号化された判定要求信号をメインキー１０３側に遠距離発信し、メインキー１０３にサブキーの所有者の車両制御に関するリクエストの許可又は拒否判定を要求する（ステップＳ４０２）。
【００５６】
そして、メインキー１０３が暗号化された判定要求信号を受信すると、予め決められた法則に従った計算・復号化を行い、サブキーリクエスト判定部３０３においてサブキー１０１の識別番号に対応させてサブキー所有者の車両制御に関するリクエストの許可／拒否の判定を行い、許可／拒否結果を暗号化信号として遠距離通信して車載器１１０側に返信する（ステップＳ４０３）。
【００５７】
最後に、車載器１１０がメインキー１０３からの暗号化信号を受信すると、この暗号化信号を復号化して解読する。そして、メインキー１０３が正規の鍵と判断すると、判定部２０４ｃは、メインキー１０３側から受信した判定結果に基づいて、サブキー１０１の所有者の車両制御に関するリクエストの許可又は拒否の判定を行う。なお、許可判定の場合には、電子キーコンピュータ２０４はドアの開錠要求信号をメインボデーＥＣＵ２０５に出力し、メインボデーＥＣＵ２０５から指令を受けたドアロックコンピュータ２０６が、触れられたドアを開錠して子供１００の乗車を許可する（ステップＳ４０４）。なお、この際、その他機能、例えばエンジン始動、電源遷移等については許可していないために、サブキー１０１の所持者である子供１００は勝手に他の機能を作動させることができない。
【００５８】
なお、図５は本実施の形態１の変形例に係る遠隔制御システムの動作手順を示すフローチャートであり、メインキー１０３でのリクエスト内容の許可若しくは拒否判定（ステップＳ５０３）の後に、許可判定の場合にのみ（ステップＳ５０４でＹＥＳ）許可判定信号を遠距離通信で車載器に返信するものである（ステップＳ５０５）。そして、メインキー１０３が正規キーの時、サブキー１０１の所有者からのリクエストを実施する（ステップＳ５０６）。この構成により、メインキー１０３においてサブキー１０１の所有者のリクエストが拒否と判定される場合にはメインキー１０３からの返信信号が送信されないために、より低消費電力化を実現することができる。
【００５９】
以上の説明のように、本実施の形態１に係る遠隔制御システムでは、サブキー１０１及びメインキー１０３の２種類の電子キーと車載器１１０とがそれぞれ通信を行い、車載器１１０は電子キーが登録された正規キーであるか確認する。
また、車載器１１０は、サブキー１０１の所有者の車両制御に関するリクエストの可否の判定を要求する判定要求信号をメインキー１０３に送信する。そして、車載器１１０は、メインキー１０３から判定結果であるレスポンス（許可／拒否）を受けてからサブキー１０１のリクエストを実現する。
【００６０】
従って、サブキー１０１の所有者からのリクエストを実行するには、メインキー１０３による許可／拒否判定が必要なため、サブキー１０１の所有者の車両制御に関するリクエストにメインキー１０３の所持者の意図を反映させることができ、メインキー１０３の所持者の想定しない機能利用が防止可能となる。
さらに、本発明に係る遠隔制御システムを用いることで先に行った子供１００が車両のドアが開かなくて鍵を持った車の所持者１０２である大人を呼びに戻ったり、子供１００が誤ってエンジン始動してしまうことをも適切に防止できる。
【００６１】
（実施の形態２）
以下、本発明に係る遠隔制御システムの第二の実施の形態に関して図面を参照しながら説明を行う。
【００６２】
図６は、本実施の形態２に係る車載器６００の機能ブロック図を示す。なお、上記の実施の形態１に係る車載器１１０と同様の構成に関しては同様の符号を付与してその詳細な説明は省略している。
【００６３】
本実施の形態２において、車載器６００の電子キーコンピュータ６０１は、リクエスト検出部６０２に備わるメインキーまでの距離を測定する距離測定部６０３、又はメインキーに備えられたジャイロセンサのセンサ値を検出するジャイロ値検出部６０４を用いてメインキーの動作を検出することを特徴とするものである。
【００６４】
距離測定部６０１は、メインキーに内蔵されているトランスポンダ機能を用いて、ダウンリング周波数の電波を送信して、メインキーから周波数変換された応答信号を受信する。この通信を複数回繰り返して応答時間の変化によりメインキーまでの距離を測定する。
【００６５】
ジャイロ値検出部６０４は、ジャイロ値返信信号をメインキー側に送信することで、後述するメインキーに備わるジャイロセンサの値を取得しメインキーのジャイロ値を検出する。
【００６６】
本実施の形態２に係るリクエスト検出部６０２は、距離測定部６０３において測定されたメインキーまでの距離の変化、又はジャイロ値検出部６０４において検出されたメインキーのジャイロ値を用いて、メインキーの所持者の動作状態を判定する。具体的には、メインキーが近づいているか、若しくはメインキーが動いているか否かを検出する。
【００６７】
図７は、本実施の形態２に係るメインキー７０の機能ブロック図を示す。
本実施の形態２に係るメインキー７０は、上述した実施の形態１に係るメインキー１０３の機能構成に加えて、メインキー７０の動作状態を検出するためのモーション判定部７００を備える。
このモーション判定部７００は、所定電磁波を検出すると例えばＩＤコードを発信するトランスポンダ部７０１、及びメインキーの角度や角速度を検出する計測器であり、検出できる角速度を経過時間で積分して角度を算出する機能を有するジャイロセンサ７０２を備える。
【００６８】
図８は、本実施の形態２に係る遠隔制御システムの動作手順を示すフローチャートである。
【００６９】
最初に、例えば車載器１１０側から定期的にサーチ信号を送信して、周辺に子供１００が所有したサブキー１０１が存在する場合に、サブキー１０１と車載器１１０の間で近距離通信が行われ、サブキー認証のための暗号通信を行う（ステップＳ８０１）。
次に、車載器６００はサブキーが正規の鍵と判断すると、車載器６００側の距離測定部６０３でメインキー７０までの距離を測定する（ステップＳ８０２）。具体的には、距離測定部６０３は、メインキー７０からの応答時間を計測し、再度、遠距離通信を行い応答時間を計測する。そして、応答時間が短くなったならメインキー７０の所持者が近づいたと判断する。
【００７０】
そして、距離測定部６０３の測定結果に基づいてリクエスト検出部６０２がメインキー７０が近づいていると判断した場合であり（ステップＳ８０３でＹＥＳ）、且つメインキー７０が正規キーの時、リクエスト検出部６０２で検出されたサブキーのリクエスト内容（例えばドア開錠）を実行する（ステップＳ８０４）。この構成により、メインキー７０へサブキーの所有者の車両制御に関するリクエスト許可又は拒否判定を要求することなく、メインキー７０の動きを検出すればサブキーのリクエストを実行できることとなる。
【００７１】
なお、メインキー７０までの距離が近づいている場合のみでなくメインキー７０までの距離が変化している場合において、すなわちメインキー７０までの距離が遠ざかっていても変化していればサブキー所有者からのリクエスト内容を実行することも考えられる。
【００７２】
また、図示はしていないが、距離測定部６０３においてメインキー７０の距離が近づいている場合に、サブキーからのリクエスト内容の許可又は拒否の判定を要求する判定要求信号をメインキー７０側に遠距離通信して、メインキー７０にサブキー所有者からのリクエスト内容の許可又は拒否の判定を要求して、返信された判定結果に基づいてサブキー所有者からのリクエストを実行することも考えられる。
【００７３】
また、上記のステップＳ８０３においては、距離測定部６０３の測定結果に基づいてリクエストの許可又は拒否を実行しているが、メインキー７０のジャイロセンサ７０２を用いて、車載器６００でメインキー７０が動いているか否かをジャイロ値検出部６０４において検出することによって、メインキー７０が動いている場合にのみサブキー所有者からのリクエスト内容を実行することもできる。
【００７４】
以上の説明のように、本実施の形態２に係る遠隔制御システムでは、メインキー７０の所持者の意図を反映させるため、車載器６００の距離測定部６０３からメインキー７０のトランスポンダ部７０１に対して遠距離通信を複数回実施し、メインキーの所持者が近づいているか、静止しているかを判別して、車載器６００のリクエスト検出部６０２は、近づいている場合にサブキーの所有者からの車両制御に関するリクエスト内容を実行する。
【００７５】
また、同様に車載器６００のジャイロ値検出部６０４からメインキー７０のモーション判定部７００に備わるジャイロセンサ７０２の値を検出して、メインキー７０の所持者の動きを判別して、車載器６００のリクエスト検出部６０２は、動いている場合にのみサブキー所有者からの車両制御に関するリクエスト内容を実行する。
【００７６】
従って、車載器６００側では、メインキー７０の所持者が近づいている状態、若しくは動いていることが検出できたらリクエストを実行するため、メインキー７０の所持者の手間を要せずにサブキーから要求される機能を制限できる。
【００７７】
また、車載器６００はメインキー７０へのサブキーのリクエスト内容の許可又は拒否に関しての問い合わせは行わないため省電力化が可能となる。
また、サブキーが盗難された場合でもメインキーの所持者が例えば１００ｍを超えて遠くにいる場合や、メインキー７０を動かさない場合はサブキーを用いて車の機能の遠隔制御が全くできないために、盗難防止にも活用できる。
【００７８】
（実施の形態３）
図９は、本実施の形態３に係る遠隔制御システムに用いるメインキー９００の外観図の一例を示す。
【００７９】
メインキー９００には、ボタン９０１〜９０３が設けられている。例えばボタン９０１は、サブキーの遠隔制御機能の強制オン／オフスイッチであり、このボタン９０１をオフ設定にすることによりサブキーからリクエストがきた場合に判定結果を返信しない設定、若しくは全てのリクエストを不許可設定にして、サブキー所持者に全ての遠隔制御機能を許可できる。一方、ボタン９０１をオン設定を選択することにより、サブキーの所持者に車の全ての遠隔制御機能を使用可能することもできる。
【００８０】
また、ボタン９０２を例えばオーディオ電源許可判定のためのボタンとして、サブキーからのオーディオ使用許可に関する判定要求信号を受信した場合に、このボタン９０２をメインキーの所持者が押すことにより、サブキーの使用者にオーディオの使用を許可する構成とできる。なお、図９に示すボタン９０１から９０３の形状や配置は例示であり、例えばボタンを裏面や側面に配置できる。
【００８１】
なお、本発明に係る遠隔制御システムの車体への遠隔制御機能は、上記の各実施の形態の説明におけるドアの開錠／施錠の機能に限定されるものではなく、グローブボックスの開閉機能、ラゲージドアの開閉機能、オーディオ電源許可機能、カーナビゲーション電源許可機能、ＰＮＤ（Personal Navigation Device）使用許可機能、携帯電話使用許可機能、シート位置をカスタマイズ許可機能等の他の機能にも適用できることは言うまでもない。
【産業上の利用可能性】
【００８２】
本発明に係る遠隔制御システムは、例えばメインキー及びサブキー等の複数の電子キーを用いて車体の各種機能を遠隔制御するシステムに適用できる。
【符号の説明】
【００８３】
１００  子供
１０１  サブキー
１０２  所持者
７０，１０３，９００  メインキー
１１０，６００  車載器
２０１  車内用発信器
２０２  車外用発信器
２０３  送受信部
２０４，６０１  電子キーコンピュータ
２０４ａ  暗号化処理部
２０４ｂ，６０２  リクエスト検出部
２０４ｃ  判定部
２０５  メインボデーＥＣＵ
２０６  ドアロックコンピュータ
２０７  エンジンコントロールコンピュータ
３０１  電波受信部
３０２  暗号解読部
３０３  サブキーリクエスト判定部
３０４  電波送信部
６０３  距離測定部
６０４  ジャイロ値検出部
７００  モーション判定部
７０１  トランスポンダ部
７０２  ジャイロセンサ
９０１〜９０３  ボタン
【図１】
2010242446.tif 000003
【図２】
2010242446.tif 000004
【図３】
2010242446.tif 000005
【図４】
2010242446.tif 000006
【図５】
2010242446.tif 000007
【図６】
2010242446.tif 000008
【図７】
2010242446.tif 000009
【図８】
2010242446.tif 000010
【図９】
2010242446.tif 000011